(57)【特許請求の範囲】
【請求項１】
軸棒５に針状の突起物１を複数有する鼠阻止器であって、該突起物は鼠に当たると刺さるものであって、壁材に押し込んだ際に刺さるという特性を残しつつ多少のたわみに耐えるものであり、軸棒５はコイル状に形成されることで壁材に押し込んだ際に緩衝効果を有することを特徴とする鼠阻止器２。
【請求項２】
建築物の壁内の隙間３、または壁内の隙間に接する部分４、もしくはこの両方に、通気性を有する請求項１に係る鼠阻止器２等を設置することを特徴とする、鼠の通過阻止方法。
【発明の詳細な説明】
【０００１】
【発明の属する技術分野】
本発明は、鼠阻止器２および、建築物内での鼠の通過阻止方法に関するものである。
【０００２】
【従来の技術】
従来は建築物内での鼠害を防止するため、殺虫剤や忌避剤を床下や天井裏等へまいたり、粘着剤が付いたシート状のものや仕掛け付きの籠や箱等を設置して鼠を捕獲するもの、その他、超音波や電磁波を発生して鼠を近づけないものがあった。
また、鼠の侵入防止対策として床下換気口に網を設けたり、柱やはりに乱杭針刺状突起物を取り付けるものや、壁を貫通する配管等の隙間を塞ぐものがあった。
【０００３】
【発明が解決しようとする課題】
殺虫剤による鼠の駆除は、手の届きにくいところで鼠が死亡した場合、その撤去には苦労し、不衛生的である。
臭いによる忌避剤の場合は臭気があり、かつ一定期間が過ぎると交換が必要であったり、味覚による忌避剤の場合は齧歯類特有の堅いものを噛むだけの行為の場合には、食しないため効果がない。
粘着剤が付いたシート状のものや、仕掛け付きの篭や箱等に鼠を捕獲する場合も、定期的に捕獲状況を確認したり、捕らえた鼠の撤去に労力を要する。また、設置の際に粘着剤が手に付いたり、誤って指等を挟むこともある。
超音波や電磁波を発生して鼠を近づけないものにおいては、電気機器であるため電源工事が必要となったり、数箇年で故障してしまうのである。更に超音波や電磁波を発生するため、人体やペット等に悪影響を与える恐れがある。
【０００４】
以上に述べたものは、部分的な対処方法に過ぎなかったり、鼠の学習能力や耐性により、しばらくすると駆除効果が低下していた。
また、侵入防止対策として床下換気口に網を設けたり、柱やはりに乱杭針刺状突起物を取り付けるものや、壁の貫通穴の隙間を塞ぐ方法があるが、床下の土中や排水口等から床下へ鼠が侵入すると、鼠は壁内の隙間３を通行し、天井裏まで駆け上ってしまうため鼠害防止効果がなく、建築物内を走り回って人びとの生活を脅かしていたのである。
【０００５】
本発明は、このような従来のものが有していた問題を解決しようとするものであるが、日本の歴史的木造建築物を観れば判るように、木造建築物は特に建物の耐久性を維持させるための工夫として、各部分の通気性がある程度必要とされているため、目的とするものは通気性を有し、定期的な点検や取り替えが不要で、耐久性に優れ、無味無臭であり、電磁波等により人やペット等に悪影響を与える恐れがなく、壁内の鼠の移動を阻止し、半永久的に鼠害防止効果が持続するものを提供することにある。
【０００６】
【課題を解決するための手段】
本発明は上記目的を達成するため、鼠の学習能力や耐性とは無関係に、鼠の通過阻止により鼠害防止効果が持続する、耐久性に優れたものを提供することであり、この発明に係るものは次のようなものである。
すなわち、軸棒５に針状の突起物１を複数有する鼠阻止器であって、該突起物は鼠に当たると刺さるものであって、壁材に押し込んだ際に刺さるという特性を残しつつ多少のたわみに耐えるものであり、軸棒５はコイル状に形成されることで壁材に押し込んだ際に緩衝効果を有することを特徴とする鼠阻止器２および、建築物の壁内の隙間３、または壁内の隙間に接する部分４、もしくはこの両方に、通気性を有する請求項１に係る鼠阻止器２等を設置することを特徴とする、鼠の通過阻止方法である。
【０００７】
ほとんどの建築物には、コンクリート壁や土壁と外・内壁仕上げ材の間や、断熱材と外・内壁仕上げ材の間に隙間があるため、断熱効果や通気性が保たれているが、この壁内の隙間３に通気性を有する鼠阻止器２等を設置する。また、既設建物の場合は壁内への設置が困難であるため、壁内の隙間３に接する部分である床下や天井裏に設置する。
以上のように完成された本発明のさらなる詳細については、実施例を参照していただきたい。
【０００８】
作用としては、針状の突起物１の隙間を空気が通過するため通気性を損なうことがなく、壁内に鼠阻止器２等があると鼠が通過できないため上層部へ行くことができない。更に、針状の突起物１を有する鼠阻止器２においては鼠がこれに当たると、針状の突起物１が鼠に少し刺さるのである。
【０００９】
【実施例】
図１、図２、図３、図４、図５、図６に基づいて実施例１を説明するが、図１は建築物とその周辺の断面図である。
まず、針状の突起物１は、鼠に齧られても折れない、硬くて先の尖った棒状のものであるが、壁内の隙間３に設置する場合においては壁材で押さえ込むため多少のたわみに耐える材質であってもよく、その材質については耐久性に優れたステンレス製のものがよいが、その他モリブデン、亜鉛メッキを施した鉄、アルミニウム等の金属、硬質の合成樹脂、炭素製等のものでもよい。
【００１０】
その形状については、図２に示す通り軸棒５から放射状に突起物１が付いているが、図３のように突起物１の方向を多方向にすることにより、斜め方向から近づいてくる鼠に対しても突起物１が垂直に当たるようにすると更に忌避効果が大きい。
更に、図４のような軸棒５がコイル状のものでもよく、突起物１がやや短いため、鼠衝突時における突起物１の付け根にかかる曲げモーメントが小さくなり、突起物１の歪みや損傷を抑えることができる。また、壁材で押さえ込む際の緩衝効果もある。
その他、軸棒５に市販の有刺鉄線を巻き付けたようなものでもよい。
なお、軸棒５の材質については、上記突起物１と同等のものとする。
【００１１】
鼠阻止器２の設置方法について説明する。
壁内の隙間３に設置する場合においては、図５の斜線部分に示すように建物全体に設置する訳であるが、一般的には建物の新築時にこれを行い、コンクリート壁や土壁等に内・外壁仕上げ材を貼る際に、隙間となる部分のできるだけ下部へ水平方向に設置する。設置する鼠阻止器２の大きさについては隙間の幅に応じたものを使用する。下部というのは、壁コンセントの下辺りであり、ここにはふつう電線類がないため設置しやすく電線類を傷つける恐れがない。やむおえず電線類が設置される部分については電線類を合成樹脂管等で覆う必要がある。また、下部であるためここよりも上層部へ鼠が上ることがない。
【００１２】
固定方法については、図４に一例を示す通り、鼠阻止器２の両端を固定具６で固定する訳であるが、横幅が長くて中央部が垂れ下がる場合は中央部分をねじと針金で数箇所固定してもよい。軸棒５の端は抜け防止用のストッパー７を付ける等の工夫をし、ねじのねじ込みが困難な場合はコンクリート釘や接着剤を使用する。固定具６の造営材取付部分は、釘のように尖らせ、金づちで打ち込むようにしてもよい。
ただし、既設住宅等の壁内に設置する場合においては、鼠阻止器２の両端が固定できない場合があるため、鼠阻止器２を棒等で壁内に押し込むものとする。
なお、固定具６の材質については、耐久性に優れたステンレス等の金属を用いる。
【００１３】
次に、壁内の隙間に接する部分４に設置する場合においては、主に既設建物に用いられるが、壁の下すなわち床下部と壁の交点、または壁の上すなわち天井裏部と壁の交点、またはこの両方に設置する。
【００１４】
床下部設置については、図６に示す通りコンクリート等の基礎８の上部に水平に取り付けるが、この場合の鼠阻止器２の大きさは、鼠が飛び越せない程度の大きさが必要であり、直径１０ｃｍ以上のものがよい。万一、突起部に鼠が足を掛けてよじ上ろうとしても軸棒５が回転するため鼠は地面に落下し、絶対に上部へ上れないのである。
言うまでもないが、鼠阻止器２の回転機能を利用する場合は中央部分をねじ等で固定してはならないのである。
【００１５】
天井裏部設置については、床下部に人が入れず床下部設置ができない場合の補助的対策として実施する場合と、集合住宅等の近隣上層部からの鼠の侵入阻止対策として実施する場合があるが、その固定方法については、以上に述べた固定具６等で隙間上部を塞ぐように設置する。
【００１６】
鼠阻止器２のその他の設置場所として、鼠が通過しそうな床下土間部の四辺の角や、天井裏の四辺の角、台所流し台の下、米びつ等の奥、排水口合所升９の内壁四辺等に設置する。
また、鼠阻止器２を固定具６によらず、そのまま置いて使用することも可能であるが、この場合は軸棒５の重いものか、一辺が平らな板蒲鉾状の鼠阻止器２とし、転がりにくい構造のものを使用する。
なお、鼠阻止器２の取り扱いについては、革手袋や金属ばさみで持ち運び、設置するのである。
【００１７】
【発明の効果】
本発明に係る鼠の通過阻止方法により、鼠阻止器２を建築物に設置すると、鼠の学習能力や耐性とは無関係に鼠の通過阻止がはかられ、半永久的に鼠害防止効果が持続するのである。
また、本発明の鼠阻止器２は、通気性を有しているため建物の耐久性を損なわず、定期的な点検や取り替えが不要で、耐久性に優れ、無味無臭であり、電磁波等により人やペット等に悪影響を与える恐れがなく、壁内の鼠の移動を阻止する。
以上のように、鼠の通過を阻止できるため、鼠が建物内を走り回らなくなり、騒音による睡眠不足や、不衛生面により、人びとの生活が脅かされる心配がなくなる。
【図面の簡単な説明】
【図１】建築物とその周辺の断面図である。
【図２】方向性のある針状の突起物１を有する鼠阻止器２の斜視図である。
【図３】方向性のない針状の突起物１を有する鼠阻止器２の斜視図である。
【図４】コイル状の軸棒５を有する鼠阻止器２と固定具６の斜視図である。
【図５】建築物の平面図である。
【図６】床下部における鼠阻止器２の斜視図である。
【符号の説明】
１  突起物
２  鼠阻止器
３  隙間
４  隙間に接する部分
５  軸棒
６  固定具
７  ストッパー
８  基礎
９  合所升
【図１】
0003653612.tif 000002
【図２】
0003653612.tif 000003
【図３】
0003653612.tif 000004
【図４】
0003653612.tif 000005
【図５】
0003653612.tif 000006
【図６】
0003653612.tif 000007